(57)【要約】      （修正有）【課題】両膝を合わせて曲げた状態で拘束可能であって、両膝を左右に揺らしても両膝を曲げた状態を維持しやすい腰痛予防体操用膝バンドを提供する。【解決手段】大腿用バンド部１が長さを調節可能に構成されて両大腿を包囲して締め付け可能である。下腿用バンド部２が長さを調節可能に構成されて両端が大腿用バンド部に取り付けられ、両膝を曲げた状態で下腿を保持可能である。大腿用バンド部および下腿用バンド部は、長さを調節可能にするアジャスター機能付きバックル１ｂ、２ｂまたは面ファスナー２ｃを有する。【選択図】図１
0003233890.tif 000002
【実用新案登録請求の範囲】
【請求項１】
長さを調節可能に構成されて両大腿を包囲して締め付け可能な大腿用バンド部と、
長さを調節可能に構成されて両端が前記大腿用バンド部に取り付けられ、両膝を曲げた状態で下腿を保持可能な下腿用バンド部とを、
有することを、特徴とする腰痛予防体操用バンド。
【請求項２】
前記大腿用バンド部および前記下腿用バンド部は、長さを調節可能にする面ファスナーまたはアジャスター機能付きバックルを有することを、特徴とする請求項１記載の腰痛予防体操用バンド。
【考案の詳細な説明】
【技術分野】
【０００１】
本考案は、腰痛予防体操用膝バンドに関する。
【背景技術】
【０００２】
従来、両膝を合わせた状態で拘束するため、帯状のバンド本体と、バンド本体の一端の裏面に縫い合わされた面状ファスナと、バンド本体の表面に形成された掴み部とを備えた就寝時両膝拘束用バンドが開示されている（例えば、特許文献１参照）。
【先行技術文献】
【特許文献】
【０００３】
【特許文献１】実用新案登録第３１３９６９５号公報
【考案の概要】
【考案が解決しようとする課題】
【０００４】
しかしながら、特許文献１に記載の就寝時両膝拘束用バンドでは、両膝の上に巻いて取り付けられるため、両膝が伸びた状態となり、両膝を曲げた体勢をとりにくいという課題があった。両膝を曲げた状態にするため、両膝拘束用バンドを大腿または下腿に巻き付けることもできるが、その場合、両膝を左右に揺らしたとき、次第に両膝が下がって伸びてしまうという課題があった。
【０００５】
本考案は、このような課題に着目してなされたもので、両膝を合わせて曲げた状態で拘束可能であって、両膝を左右に揺らしても両膝を曲げた状態を維持しやすい腰痛予防体操用膝バンドを提供することを目的とする。
【課題を解決するための手段】
【０００６】
本考案者は、両膝を合わせて曲げた状態で両膝を左右に揺らす体操により効果的に腰痛を予防できることを発見した。
その発見に基づき、上記目的を達成するために、本考案に係る腰痛予防体操用バンドは、長さを調節可能に構成されて両大腿を包囲して締め付け可能な大腿用バンド部と、長さを調節可能に構成されて両端が前記大腿用バンド部に取り付けられ、両膝を曲げた状態で下腿を保持可能な下腿用バンド部とを、有することを、特徴とする。
前記大腿用バンド部および前記下腿用バンド部は、長さを調節可能にするアジャスター機能付きバックルまたは面ファスナーを有することが好ましい。
【０００７】
本考案に係る腰痛予防体操用膝バンドを使用するとき、仰臥またはいすに腰掛けた姿勢で、大腿用バンド部により両大腿を包囲し両膝を合わせた状態で両大腿を締め付ける。下腿用バンド部により、両膝を曲げた状態で下腿を保持する。これにより、両膝を合わせて曲げた状態で拘束し、両膝を左右に揺らしても両膝を曲げた状態を維持しやすく、両膝を合わせて曲げた状態で両膝を左右に揺らす腰痛予防体操を効果的に行うことができる。
【図面の簡単な説明】
【０００８】
【図１】本考案の実施の形態の腰痛予防体操用膝バンドの斜視図である。
【図２】図１に示す腰痛予防体操用膝バンドの使用状態の正面図である。
【考案を実施するための形態】
【０００９】
以下、図面に基づき本考案の実施の形態について説明する。
図１および図２は、本考案の実施の形態の腰痛予防体操用膝バンドおよびその使用状態を示している。
図１に示すように、腰痛予防体操用膝バンドは、大腿用バンド部１と下腿用バンド部２とを有している。大腿用バンド部１は、両大腿を包囲して締め付け可能なバンドから成っている。大腿用バンド部１は、ナイロン平ベルト１ａとアジャスター機能付きバックル１ｂとを有している。アジャスター機能付きバックル１ｂは、アジャスター付き差込み部とバックル受け部とから成っている。大腿用バンド部１は、ナイロン平ベルト１ａの一端にバックル受け部が取り付けられ、他端側にアジャスター付き差込み部のアジャスターが取り付けられている。大腿用バンド部１は、アジャスターにより長さを調節可能であり、アジャスター付き差込み部をバックル受け部に差し込むことにより任意の長さの輪の状態になる。
【００１０】
下腿用バンド部２は、両端が大腿用バンド部１に取り付けられ、両膝を曲げた状態で下腿を保持可能なバンドから成っている。下腿用バンド部２は、ナイロン平ベルト２ａとアジャスター機能付きバックル２ｂと１対の面ファスナー２ｃとを有している。アジャスター機能付きバックル２ｂは、アジャスター付き差込み部とバックル受け部とから成っている。下腿用バンド部２は、ナイロン平ベルト２ａの一端にバックル受け部が取り付けられ、ナイロン平ベルト１ａの一端から離れた位置にアジャスター付き差込み部のアジャスターが取り付けられている。
下腿用バンド部２は、アジャスターにより長さを調節可能であり、ナイロン平ベルト２ａの一端側で大腿用バンド部１のナイロン平ベルト１ａを巻いてバックル受け部アジャスター付き差込み部をバックル受け部に差し込むことにより、一端が大腿用バンド部１に取り付けられている。１対の面ファスナー２ｃは、帯状であってナイロン平ベルト２ａの他端側の同一面に順に貼り付けられている。１対の面ファスナー２ｃで大腿用バンド部１のナイロン平ベルト１ａを挟んで互いに貼り合わせることにより、ナイロン平ベルト２ａの他端は大腿用バンド部１に取り付けられている。
【００１１】
次に、作用について説明する。
腰痛予防体操用バンドを使用するとき、図２に示すように、マット３などに仰臥した姿勢で、大腿用バンド部１により両大腿Ａを包囲し両膝を合わせた状態で両大腿Ａを締め付ける。両大腿Ａを締め付ける強さは、アジャスター機能付きバックル１ｂのアジャスターのナイロン平ベルト１ａへの取付け位置をずらして調節することにより調整することができる。大腿用バンド部１で両大腿Ａを締め付けたならば、下腿用バンド部２により、両膝を曲げた状態で下腿Ｂを保持する。下腿Ｂを保持する強さは、アジャスター機能付きバックル２ｂのアジャスターのナイロン平ベルト２ａへの取付け位置をずらして調節することにより調整することができる。１対の面ファスナー２ｃで大腿用バンド部１のナイロン平ベルト１ａを挟む位置を調節することにより、下腿用バンド部２で下腿Ｂを保持する強さを調整してもよい。
これにより、両膝を合わせて曲げた状態で拘束し、両膝を左右に揺らしても両膝を曲げた状態を維持しやすく、両膝を合わせて曲げた状態で両膝を左右に揺らす腰痛予防体操を効果的に行うことができる。
【００１２】
なお、アジャスター機能付きバックルの代わりに、面ファスナーを用いて、大腿用バンド部１および下腿用バンド部２の長さを調節可能にしてもよい。
また、腰痛予防体操は、仰臥して行うほか、いすに腰掛けた姿勢で行ってもよい。
【符号の説明】
【００１３】
１  大腿用バンド部、１ａ  ナイロン平ベルト、
１ｂ  アジャスター機能付きバックル、２  下腿用バンド部、
２ａ  ナイロン平ベルト、２ｂ  アジャスター機能付きバックル、
２ｃ  面ファスナー、３  マット、Ａ  大腿、Ｂ  下腿
【図１】
0003233890.tif 000003
【図２】
0003233890.tif 000004